(57)【要約】【課題】通信開始までに要する時間を短縮する。【解決手段】無線通信端末１０に、変復調部２１と、キャリアセンシング部２２と、信号チャンネル選択部２３とを備えたモデム１２を設ける。変復調部２１は、信号チャンネルに対応しパケットを変復調する。キャリアセンシング部２２は、信号チャンネルで送信されているキャリアをセンシングする。信号チャンネル選択部２３は、センシング結果に基づき複数の無線チャンネルの中で信号チャンネルの切り替えを行う。このような構成の無線通信端末１０を複数有するシステムにおいては、同じ信号チャンネルの切り替えが同期して行われる。【選択図】  図２
2005286765.tif 000002
【特許請求の範囲】
【請求項１】
それぞれ異なる周波数帯に属する複数の無線チャンネルの中から選択された信号チャンネルに対応しパケットを変復調する変復調部と、
前記信号チャンネルで送信されているキャリアを検出するキャリアセンシング部と、
このキャリアセンシング部の検出結果に基づき前記複数の無線チャンネルの中から現在の信号チャンネルとは別の無線チャンネルを新たな信号チャンネルとして選択することにより前記信号チャンネルの切り替えを行い前記変復調部に通知する信号チャンネル選択部と
を備えることを特徴とするモデム。
【請求項２】
請求項１に記載のモデムにおいて、
前記信号チャンネル選択部は、前記複数の無線チャンネルの中から設定された基本チャンネルを前記信号チャンネルとして前記変復調部に通知することを特徴とするモデム。
【請求項３】
請求項１または２に記載のモデムにおいて、
前記信号チャンネル選択部は、前記キャリアセンシング部によりキャリアが検出されてから所定の時間内に、前記キャリアを復調して得られたパケットに所定の識別子が検出されないときに前記信号チャンネルの切り替えを行うことを特徴とするモデム。
【請求項４】
請求項３に記載のモデムにおいて、
前記所定の時間は、少なくとも１パケットを送信するのに要する時間であることを特徴とするモデム。
【請求項５】
請求項２に記載のモデムにおいて、
前記信号チャンネル選択部は、前記信号チャンネルの切り替えが行われた後で所定の条件が満たされたときに前記信号チャンネルを前記基本チャンネルに戻し前記変復調部に通知することを特徴とするモデム。
【請求項６】
請求項５に記載のモデムにおいて、
前記信号チャンネル選択部は、前記所定の条件として前記信号チャンネルの切り替えが行われてから所定時間経過後に前記信号チャンネルを前記基本チャンネルに戻すことを特徴とするモデム。
【請求項７】
請求項２〜６のいずれか１項に記載のモデムにおいて、
前記無線チャンネルは、複数のグループに分割され、
前記信号チャンネル選択部は、前記基本チャンネルが含まれるグループ内で前記信号チャンネルの切り替えを行うことを特徴とするモデム。
【請求項８】
パケットの処理を行う情報処理部と、信号チャンネルに対応し前記パケットを変復調するモデムとを備える無線通信装置において、
前記モデムは、請求項１〜７のいずれか１項に記載のモデムであることを特徴とする無線通信装置。
【請求項９】
それぞれ異なる周波数帯に属する複数の無線チャンネルの中から信号チャンネルを選択するステップと、
選択された前記信号チャンネルで送信されているキャリアをセンシングするステップと、
キャリアをセンシングした結果に基づき前記複数の無線チャンネルの中から現在の信号チャンネルとは別の無線チャンネルを新たな信号チャンネルとして選択することにより前記信号チャンネルの切り替えを行うステップと
を備えることを特徴とするチャンネル選択方法。
【請求項１０】
請求項９に記載のチャンネル選択方法において、
前記複数の無線チャンネルの中から設定された基本チャンネルを前記信号チャンネルとして選択するステップを更に備えることを特徴とするチャンネル選択方法。
【請求項１１】
請求項９または１０に記載のチャンネル選択方法において、
前記信号チャンネルの切り替えを行うステップは、前記キャリアをセンシングした結果、前記キャリアがキャリアが検出されてから所定の時間内に、前記キャリアを復調して得られたパケットに所定の識別子が検出されないときに前記信号チャンネルの切り替えを行うステップを備えることを特徴とするチャンネル選択方法。
【請求項１２】
請求項１１に記載のチャンネル選択方法において、
前記所定の時間は、少なくとも１パケットを送信するのに要する時間であることを特徴とするチャンネル選択方法。
【請求項１３】
請求項１０に記載のチャンネル選択方法において、
前記信号チャンネルの切り替えが行われた後で所定の条件が満たされたときに前記信号チャンネルを前記基本チャンネルに戻すステップを更に備えることを特徴とするチャンネル選択方法。
【請求項１４】
請求項１３に記載のチャンネル選択方法において、
前記前記信号チャンネルを前記基本チャンネルに戻すステップは、前記所定の条件として前記信号チャンネルの切り替えが行われてから所定時間経過後に前記信号チャンネルを前記基本チャンネルに戻すステップを備えることを特徴とするチャンネル選択方法。
【請求項１５】
請求項１０〜１４のいずれか１項に記載のチャンネル選択方法において、
前記無線チャンネルは、複数のグループに分割され、
前記信号チャンネルの切り替えを行うステップは、前記基本チャンネルが含まれるグループ内で前記信号チャンネルの切り替えを行うステップを備えることを特徴とするチャンネル選択方法。
【発明の詳細な説明】
【技術分野】
【０００１】
本発明は、モデムおよび無線通信装置並びにチャンネル選択方法に関し、特に、複数の無線チャンネルで通信可能なモデムおよび無線通信装置、並びに複数の無線チャンネルのいずれかを選択する無線通信方法に関する。
【背景技術】
【０００２】
家庭やオフィスなどの限られた狭い空間でコンピュータなどの端末を無線で接続する無線通信システムが実現されつつある。このシステムでは、システム内の端末間で通信を開始する際に、無線チャンネルが既に別の端末の通信に占有されている場合には、その通信が終了するまで待機するという方法が提案されている。しかし、例えば４００ＭＨｚ帯域の特定小電力無線通信装置では、最大４０秒間パケット送信が可能であるので、上述した方法を採用すると、端末間で通信を開始する際に別の端末で音声通信を行っている場合などには、最大４０秒間待機しなければならず、通信開始までに要する時間が長くなるという問題があった。
【０００３】
また、上述した方法とは別に、通信を開始する際に、送信端末と受信端末とが制御チャンネルを通じて共通の空きチャンネルを見つけ、この空きチャンネルを信号チャンネルとして用いる方法が提案されている（例えば特許文献１参照）。しかし、この方法を採用すると、信号チャンネルの選択に制御チャンネルを通じた端末間の調整が必要になるので、効率が悪いという問題があった。また、通信開始までに要する時間が長くなるという問題があった。
【０００４】
なお、上述した従来技術のうち通信開始時の前者の方法は、出願人が出願時点で知る限りにおいて文献公知ではない。
また、出願人は、本明細書に記載した先行技術文献情報で特定される先行技術文献以外には、本発明に関連する先行技術文献を出願時までに発見するには至らなかった。
【特許文献１】特開平９−３２２２２７号公報
【発明の開示】
【発明が解決しようとする課題】
【０００５】
従来の方法では、通信開始までに要する時間が長くなるという問題があった。また、信号チャンネルの選択を効率よく行えないという問題があった。
本発明は、このような課題を解決するためになされたものであり、その目的は、通信開始までに要する時間を短縮することにある。
また、他の目的は、信号チャンネルの選択を効率よく行えるようにすることにある。
【課題を解決するための手段】
【０００６】
このような目的を達成するために、本発明に係るモデムは、それぞれ異なる周波数帯に属する複数の無線チャンネルの中から選択された信号チャンネルに対応しパケットを変復調する変復調部と、信号チャンネルで送信されているキャリアを検出するキャリアセンシング部と、このキャリアセンシング部の検出結果に基づき複数の無線チャンネルの中から現在の信号チャンネルとは別の無線チャンネルを新たな信号チャンネルとして選択することにより信号チャンネルの切り替えを行い変復調部に通知する信号チャンネル選択部とを備えることを特徴とする。
【０００７】
ここで、信号チャンネル選択部は、複数の無線チャンネルの中から設定された基本チャンネルを信号チャンネルとして変復調部に通知するものであってもよい。
また、信号チャンネル選択部は、キャリアセンシング部によりキャリアが検出されてから所定の時間内に、キャリアを復調して得られたパケットに所定の識別子が検出されないときに信号チャンネルの切り替えを行うものであってもよい。ここで、所定の時間は、少なくとも１パケットを送信するのに要する時間であってもよい。
【０００８】
また、信号チャンネル選択部は、信号チャンネルの切り替えが行われた後で所定の条件が満たされたときに信号チャンネルを基本チャンネルに戻し変復調部に通知するものであってもよい。
また、信号チャンネル選択部は、所定の条件として信号チャンネルの切り替えが行われてから所定時間経過後に信号チャンネルを基本チャンネルに戻すものであってもよい。
さらに、無線チャンネルは、複数のグループに分割され、信号チャンネル選択部は、基本チャンネルが含まれるグループ内で信号チャンネルの切り替えを行うものであってもよい。
【０００９】
また、本発明に係る無線通信装置は、パケットの処理を行う情報処理部と、上述したモデムとを備えることを特徴とする。
【００１０】
また、本発明に係るチャンネル選択方法は、それぞれ異なる周波数帯に属する複数の無線チャンネルの中から信号チャンネルを選択するステップと、選択された信号チャンネルで送信されているキャリアをセンシングするステップと、キャリアをセンシングした結果に基づき複数の無線チャンネルの中から現在の信号チャンネルとは別の無線チャンネルを新たな信号チャンネルとして選択することにより信号チャンネルの切り替えを行うステップとを備えることを特徴とする。
【００１１】
上述したチャンネル選択方法は、複数の無線チャンネルの中から設定された基本チャンネルを信号チャンネルとして選択するステップを更に備えていてもよい。
ここで、信号チャンネルの切り替えを行うステップは、キャリアをセンシングした結果、キャリアがキャリアが検出されてから所定の時間内に、キャリアを復調して得られたパケットに所定の識別子が検出されないときに信号チャンネルの切り替えを行うステップを備えていてもよい。所定の時間は、少なくとも１パケットを送信するのに要する時間であってもよい。
【００１２】
また、上述したチャンネル選択方法は、信号チャンネルの切り替えが行われた後で所定の条件が満たされたときに信号チャンネルを基本チャンネルに戻すステップを更に備えていてもよい。
ここで、信号チャンネルを基本チャンネルに戻すステップは、所定の条件として信号チャンネルの切り替えが行われてから所定時間経過後に信号チャンネルを基本チャンネルに戻すステップを備えていてもよい。
また、無線チャンネルは、複数のグループに分割され、信号チャンネルの切り替えを行うステップは、基本チャンネルが含まれるグループ内で信号チャンネルの切り替えを行うステップを備えるようにしてもよい。
【発明の効果】
【００１３】
上述したように、本発明では、信号チャンネルで送信されているキャリアをセンシングした結果に基づき、モデムまたはこのモデムを備えた無線通信装置が独立に信号チャンネルを切り替える。このため、このモデムを備えた無線通信装置（端末）からなるシステム内では、信号チャンネル切り替えのための端末間の調整が不要となるので、信号チャンネルの切り替えを効率よく行うことができる。また、本発明における信号チャンネルの切り替えは、通信開始時に限られず定常的に行われるので、通信開始時に選択されている信号チャンネルが別の端末の通信に占有されていることはなく、迅速に通信を開始することができる。
【発明を実施するための最良の形態】
【００１４】
次に、図面を参照し、本発明の一実施の形態について詳細に説明する。以下では、本実施の形態に係る信号チャンネル選択方法をＬｎＣＰ（Living NetWork Control Protocol）式と呼び、このＬｎＣＰ式を採用する無線通信システムおよび無線通信装置をそれぞれＬｎＣＰシステムおよびＬｎＣＰ端末と呼ぶ。また、ＬｎＣＰ式を採用しない無線通信システムおよび無線通信装置をそれぞれ非ＬｎＣＰシステムおよび非ＬｎＣＰ端末と呼ぶ。
【００１５】
図１は、ＬｎＣＰシステムが設置される環境を概念的に示す図である。ＬｎＣＰシステム１Ａ，１Ｂ，１Ｃ，１Ｄのそれぞれは、例えば集合住宅の一室やオフィスビルの１フロア毎に設置される。ＬｎＣＰシステム１Ａ〜１Ｄが設置される環境には、非ＬｎＣＰシステム１０１も共存しているものとする。ＬｎＣＰシステム１Ａ〜１Ｄを代表してＬｎＣＰシステム１と記す。
図２は、ＬｎＣＰシステム１の構成を示すブロック図である。ＬｎＣＰシステム１は、複数のＬｎＣＰ端末、例えば４台のＬｎＣＰ端末１０Ａ，１０Ｂ，１０Ｃ，１０Ｄから構成されている。ＬｎＣＰ端末１０Ａ〜１０Ｄを代表してＬｎＣＰ端末１０と記す。ＬｎＣＰ端末１０は、例えばコンピュータ、電話機などからなる。
【００１６】
図３は、ＬｎＣＰ端末１０の構成を示すブロック図である。ＬｎＣＰ端末１０は、パケットの処理を行う情報処理部１１と、パケットを変復調するモデム１２と、アンテナ１３とから構成される。モデム１２はさらに、変復調部２１と、キャリアセンシング部２２と、信号チャンネル選択部２３とから構成される。
ここで、変復調部２１は、それぞれ異なる周波数帯に属する複数の無線チャンネルに対応しパケットの変復調が可能であり、これらの無線チャンネルの中から後述するように信号チャンネル選択部２３により選択された信号チャンネルに対応し変復調を行う。なお、情報処理部１１から入力されるパケットを変調しアンテナ１３へ出力し、アンテナ１３から入力されるキャリアを復調して得られたパケットを情報処理部１１および信号チャンネル選択部２３へ出力する。
【００１７】
キャリアセンシング部２２は、変復調部２１により変復調が行われている信号チャンネルで送信されているキャリアをセンシングする。キャリアが検出されると、信号チャンネル選択部２３へキャリア検出信号を出力する。キャリアセンシング部２２は、以上の処理を定常的に行う。
信号チャンネル選択部２３は、変復調部２１で変復調可能な複数の無線チャンネルの中から信号チャンネルを選択し、選択された信号チャンネルの番号を示すチャンネル選択信号を変復調部２１およびキャリアセンシング部２２へ出力する。また、変復調部２１により復調されたパケットのヘッダにプリアンブル（preamble）があるか否かを調べる。このプリアンブルは、ＬｎＣＰ式の通信で用いられる独自の識別子である。プリアンブルの有無により、そのパケットがＬｎＣＰ端末１０から送信されたものか否かがわかる。
【００１８】
以下、信号チャンネル選択部２３によるチャンネル選択方法を詳しく説明する。
信号チャンネル選択部２３は、上記複数の無線チャンネルの中からランダムに１つのチャンネルを基本チャンネルとして設定し、この基本チャンネルを信号チャンネルとして選択する。基本チャンネルは、例えば次のような手順で設定される。ＬｎＣＰシステム１を設置したときに、そのシステム１内のすべてのＬｎＣＰ端末１０を制御チャンネルで待機状態にする。その後、初めてパケット送信を行うＬｎＣＰ端末１０において、信号チャンネル選択部２３がランダムに基本チャンネルを設定し、設定された基本チャンネルの番号を同じシステム１内の他のＬｎＣＰ端末に制御チャンネルを介して送信する。他のＬｎＣＰ端末では、受信された基本チャンネルの番号に基づき、信号チャンネル選択部２３が基本チャンネルを設定する。これにより、同じシステム１内のすべてのＬｎＣＰ端末１０において、同一の基本チャンネルが設定される。
【００１９】
このように、ＬｎＣＰシステム１Ａ〜１Ｄでは、それぞれランダムに基本チャンネルが設定される。このため、システム１Ａ〜１Ｄ間において、基本チャンネルは上記複数の無線チャンネルの範囲で分散される。
【００２０】
信号チャンネル選択部２３はまた、基本チャンネルが非ＬｎＣＰ端末間の通信に占有されている場合に、所定の規則にしたがい上記複数の無線チャンネルの中から基本チャンネルとは別の１つのチャンネルを選択することにより、信号チャンネルの切り替えを行う。切り替え後の信号チャンネルも非ＬｎＣＰ端末間の通信に占有されている場合には、所定の規則にしたがい更に信号チャンネルの切り替えを行う。
【００２１】
選択されている信号チャンネルが非ＬｎＣＰ端末間の通信に占有されているか否かは、次のように判定する。すなわち、選択されている信号チャンネルにおいて、キャリアセンシング部２２によりキャリアが検出され信号チャンネル選択部２３にキャリア検出信号が入力されてから、所定時間内に、信号チャンネル選択部２３においてそのキャリアを復調して得られたパケットにプリアンブルが検出されない場合に、その信号チャンネルが非ＬｎＣＰ端末間の通信に占有されていると判定する。所定時間とは、データ送信の際に少なくとも１パケットを送信するのに要する時間である。例えば、０．５秒（最大パケット長（150Byte）÷最小伝送速度（2400bps））を超える時間である。したがって、キャリアが検出されてから０．５秒以上プリアンブルが検出されない場合に、その信号チャンネルが非ＬｎＣＰ端末間の通信に占有されていると判定し、信号チャンネルの切り替えを行う。
【００２２】
図４は、信号チャンネルの切り替え規則を説明するための図である。変復調部２１が無線チャンネル［１］，［２］，［３］に対応し変復調可能であるとする。図４に示すように、無線チャンネル［３］が基本チャンネルに設定されている場合には、信号チャンネルを［３］→［１］→［２］の順番に切り替える。また、無線チャンネル［１］，［２］が基本チャンネルに設定されている場合には、それぞれ［１］→［２］→［３］，［２］→［３］→［１］の順番に切り替える。この順番は、信号チャンネル選択部２３に予め記憶されている。
【００２３】
信号チャンネル選択部２３は更に、信号チャンネルの切り替えが行われてから所定時間経過後に信号チャンネルを基本チャンネルに戻す。図４に示す例では、信号チャンネルが無線チャンネル［１］，［２］のいずれに切り替えられていても、所定時間が経過すると、信号チャンネルは基本チャンネルに設定された無線チャンネル［１］に戻る。なお、所定時間は、信号チャンネルが基本チャンネルから切り替えられたときを基準に計時してもよいし、最後の切り替えが行われたときを基準に計時してもよい。
【００２４】
次に、図５を参照し、信号チャンネル選択部２３によるチャンネル切り替え動作について説明する。図５は、チャンネル切り替え動作の流れを示すフローチャートである。この図では、信号チャンネルに選択された無線チャンネルの番号が「Ｎ」で表されている。また、無線チャンネル［１］が基本チャンネルに設定されているものとする。
当初、基本チャンネルに設定された無線チャンネル［１］を信号チャンネルとして選択する（Ｎ＝１）。この際、信号チャンネルが非ＬｎＣＰ端末間の通信に占有されていることを判定する基準となる時間Ｔ1、および信号チャンネルの切り替え後に信号チャンネルを基本チャンネルに戻すまでの時間Ｔ2の計時は停止している（ステップＳ１）。
【００２５】
キャリアセンシング部２２により信号チャンネルにおいてキャリアが検出されると（ステップＳ２，ＮＯ、ステップＳ３，ＹＥＳ）、時間Ｔ1の計時を開始する（ステップＳ４，ＮＯ、ステップＳ５）。ここで、キャリアを復調して得られたパケットにプリアンブルが検出された場合には（ステップＳ６，ＹＥＳ）、ＬｎＣＰ端末間の通信であると判定し、時間Ｔ1の計時をリセットする（ステップＳ７）。
また、プリアンブルが検出されなかった場合でも（ステップＳ６，ＮＯ）、キャリアが検出されてから０．５秒以内（Ｔ1≦０．５秒）にキャリアが検出されなくなった場合には（ステップＳ８，ＮＯ、ステップＳ３，ＮＯ）、その信号チャンネルにおいてデータ送信が可能になるので、時間Ｔ1の計時をリセットする（ステップＳ１０，ＹＥＳ、ステップＳ１１）。
【００２６】
これに対し、プリアンブルが検出されず（ステップＳ６，ＮＯ）、キャリアが検出されてから０．５秒が経過（Ｔ1＞０．５秒）した場合には（ステップＳ８，ＹＥＳ）、非ＬｎＣＰ端末間の通信であると判定し、信号チャンネルを無線チャンネル［２］に切り替え（Ｎ＝２）、時間Ｔ1の計時をリセットするとともに、時間Ｔ2の計時を開始する（ステップＳ９）。
切り替え後の信号チャンネルにおいても、キャリアが検出された場合には（ステップＳ３，ＹＥＳ）、同様の信号チャンネルの切り替え処理を行う。
これに対し、キャリアが検出されず（ステップＳ３，ＮＯ）、信号チャンネルを切り換えてから例えば３６００秒が経過（Ｔ2＞３６００秒）した場合には（ステップＳ２，ＹＥＳ）、信号チャンネルを基本チャンネルに設定された無線チャンネル［１］に戻し（Ｎ＝１）、時間Ｔ2の計時をリセットする（ステップＳ１２）。
【００２７】
このように、ＬｎＣＰ端末１０Ａ〜１０Ｄは、キャリアセンシング部２２のセンシング結果に基づき、それぞれの信号チャンネル選択部２３により、信号チャンネルの切り替えを独立して行う。しかし、同一システムを構成するＬｎＣＰ端末１０Ａ〜１０Ｄが設定される狭い空間では、ＬｎＣＰ端末１０Ａ〜１０Ｄのすべてで同じセンシング結果が得られるので、システム全体において、同じ信号チャンネルの切り替えを同期して行うことができる。
【００２８】
また、ＬｎＣＰ端末１０Ａ〜１０Ｄがそれぞれ独立して信号チャンネルの切り替えを行うことにより、同一システム内では信号チャンネル切り替えのための端末間の調整が不要となるので、信号チャンネルの切り替えを効率よく行うことができる。
また、信号チャンネルの切り替えは、通信開始時に限られず定常的に行われるので、通信開始時に選択されている信号チャンネルが非ＬｎＣＰ端末間の通信に占有されていることはなく、迅速にデータ送信を開始することができる。
【００２９】
ここで、例えば、基本チャンネルとして無線チャンネル［１］，［２］，［３］を設定したＬｎＣＰシステム１がそれぞれ１０個ずつあるとする。この初期状態において、無線チャンネル［１］が非ＬｎＣＰ端末間の通信に占有されると、無線チャンネル［１］を基本チャンネルに設定した１０個のシステム１が、信号チャンネルを無線チャンネル［２］に切り替える。その結果、無線チャンネル［２］を信号チャンネルとするシステム１が、合計２０個に増える。しかし、本実施の形態では、所定時間経過後に信号チャンネルを元の無線チャンネル［１］に戻すので、特定の無線チャンネルに信号チャンネルが集中する状態を解消し、信号チャンネルを分散させることができる。
【００３０】
なお、図４には、モデム１２の変復調部２１が３つの無線チャンネルに対応可能である例を示したが、より多くの無線チャンネルに対応可能なものを用いてもよい。また、多くの無線チャンネルに対応可能な変復調部２１を用いる場合には、これらの無線チャンネルを複数のグループに分割し、モデム１２の信号チャンネル選択部２３において、基本チャンネルが含まれるグループ内で信号チャンネルの切り替えを行うようにしてもよい。
【００３１】
図６は、このような信号チャンネルの切り替えを具体的に説明するための図である。変復調部２１が無線チャンネル［０］〜［２０］に対応可能であるとする。無線チャンネル［０］を制御チャンネルとし、無線チャンネル［１９］，［２０］と予備とし、その他の無線チャンネル［１］〜［１８］をＡ〜Ｆの６つのグループに分割する。互いにできるだけ遠く離れた３つの無線チャンネルで各グループを構成することが望ましい。隣り合う３つの無線チャンネルで各グループを構成すると、信号チャンネルを基本チャンネルからその隣の無線チャンネルに切り替えたときに、基本チャンネルで送信されている非ＬｎＣＰ端末間の信号が切り替え後の信号チャンネルに漏れる可能性も否定できないからである。例えば、無線チャンネル［１］，［７］，［１３］をＡグループ、無線チャンネル［２］，［８］，［１４］をＢグループ、無線チャンネル［３］，［９］，［１５］をＣグループ、無線チャンネル［４］，［１０］，［１６］をＤグループ、無線チャンネル［５］，［１１］，［１７］をＥグループ、無線チャンネル［６］，［１２］，［１８］をＦグループとする。
【００３２】
このように無線チャンネル［１］〜［１８］がグループ化されている場合にも、信号チャンネル選択部２３は、無線チャンネル［１］〜［１８］の中からランダムに１つのチャンネルを基本チャンネルとして設定し、基本チャンネルが含まれるグループ内で信号チャンネルの切り替えを行う。例えば、無線チャンネル［７］を基本チャンネルとした場合には、Ａグループ内で信号チャンネルの切り替えを行う。
このように、無線チャンネルのグループを複数用意しておくことにより、隣接するＬｎＣＰシステム間で信号チャンネルが重なる可能性を低くすることができる。
【００３３】
なお、本実施の形態に係る信号チャンネル選択方法は、無線ＬＡＮにおいても他方式と共存する場合は有用である。
【図面の簡単な説明】
【００３４】
【図１】ＬｎＣＰシステムが設置される環境を概念的に示す図である。
【図２】ＬｎＣＰシステムの構成を示すブロック図である。
【図３】ＬｎＣＰ端末の構成を示すブロック図である。
【図４】信号チャンネルの切り替え規則を説明するための図である。
【図５】信号チャンネル選択部によるチャンネル切り替え動作の流れを示すフローチャートである。
【図６】無線チャンネルがグループ化されたときの信号チャンネルの切り替え規則を説明するための図である。
【符号の説明】
【００３５】
１（１Ａ〜１Ｄ）…ＬｎＣＰシステム、１０（１０Ａ〜１０Ｄ）…ＬｎＣＰ端末、１１…情報処理部、１２…モデム、１３…アンテナ、２１…変復調部、２２…キャリアセンシング部、２３…信号チャンネル選択部、１０１…非ＬｎＣＰシステム。
【図１】
2005286765.tif 000003
【図２】
2005286765.tif 000004
【図３】
2005286765.tif 000005
【図４】
2005286765.tif 000006
【図５】
2005286765.tif 000007
【図６】
2005286765.tif 000008